(57)【要約】【課題】消費電力を抑えつつ、人感センサーのみを用いる場合に比較して、低消費電力モードから印刷モードに変更されるまでの時間を短縮できるようにした画像処理装置を提供する。【解決手段】画像処理装置の検知手段は、印刷指示を受け付けた後に、人が立ち上がる動作を検知し、変更手段は、前記動作を検知した場合は、低消費電力モードから印刷可能な印刷モードに変更する。【選択図】図１
2019018471.tif 000002
【特許請求の範囲】
【請求項１】
印刷指示を受け付けた後に、人が立ち上がる動作を検知する検知手段と、
前記動作を検知した場合は、低消費電力モードから印刷可能な印刷モードに変更する変更手段
を有する画像処理装置。
【請求項２】
印刷指示を受け付けた後に第１の画像を撮影し、予め定められた期間後に第２の画像を撮影する撮影手段
をさらに有し、
前記検知手段は、前記第１の画像と前記第２の画像を比較して、人が立ち上がる動作を検知する、
請求項１に記載の画像処理装置。
【請求項３】
前記検知手段は、前記第１の画像と前記第２の画像とで、異なる画像が上下方向にある場合は、人が立ち上がる動作として検知する、
請求項２に記載の画像処理装置。
【請求項４】
前記検知手段は、前記異なる画像内に人を検知した場合に、人が立ち上がる動作として検知する、
請求項３に記載の画像処理装置。
【請求項５】
コンピュータを、
印刷指示を受け付けた後に、人が立ち上がる動作を検知する検知手段と、
前記動作を検知した場合は、低消費電力モードから印刷可能な印刷モードに変更する変更手段
として機能させるための画像処理プログラム。
【発明の詳細な説明】
【技術分野】
【０００１】
本発明は、画像処理装置及び画像処理プログラムに関する。
【背景技術】
【０００２】
特許文献１には、画像形成装置の起動状態への復帰と印刷処理とに要する時間に対するユーザーの待ち時間をなくすことを課題とし、ＭＦＰは、携帯端末から印刷ジョブを受け付け、次にＭＦＰは、携帯端末とＭＦＰとの距離情報を取得し、距離情報に基づいて、携帯端末がＭＦＰに到着する所要時間を算出し、次にＭＦＰは、省エネモードを解除し、上記印刷ジョブに対応する印刷処理を終了するまでの所要時間と、携帯端末がＭＦＰに到着する所要時間とを比較し、その比較結果に応じて、省エネモードを解除するよう制御することが開示されている。
【先行技術文献】
【特許文献】
【０００３】
【特許文献１】特開２０１３−１６２３１３号公報
【発明の概要】
【発明が解決しようとする課題】
【０００４】
画像処理装置には、節電機能として、消費電力を下げる低消費電力モードが搭載されているものがある。ところで、低消費電力モードから印刷可能な印刷モードに変更するには時間を要する。一方、ユーザーにとっては、画像処理装置を使用したいときに、すぐに使用したいという要望がある。そのため、画像処理装置に人感センサーを備えて、操作者が近づいてきたことを検知した場合には、低消費電力モードから印刷可能な印刷モードに変更している技術がある。しかし、画像処理装置の近くまで来ないと、人感センサーは人を検知できないので、操作者が画像処理装置前で待つ時間が生じている。一方、単に印刷指示を受け付けたことを契機として、低消費電力モードから印刷可能な印刷モードに変更したのでは、操作者が印刷物を受け取りに来ない場合であっても、印刷モードに変更してしまうことになる。
本発明は、消費電力を抑えつつ、人感センサーのみを用いる場合に比較して、低消費電力モードから印刷モードに変更されるまでの時間を短縮できるようにした画像処理装置及び画像処理プログラムを提供することを目的としている。
【課題を解決するための手段】
【０００５】
かかる目的を達成するための本発明の要旨とするところは、次の各項の発明に存する。
請求項１の発明は、印刷指示を受け付けた後に、人が立ち上がる動作を検知する検知手段と、前記動作を検知した場合は、低消費電力モードから印刷可能な印刷モードに変更する変更手段を有する画像処理装置である。
【０００６】
請求項２の発明は、印刷指示を受け付けた後に第１の画像を撮影し、予め定められた期間後に第２の画像を撮影する撮影手段をさらに有し、前記検知手段は、前記第１の画像と前記第２の画像を比較して、人が立ち上がる動作を検知する、請求項１に記載の画像処理装置である。
【０００７】
請求項３の発明は、前記検知手段は、前記第１の画像と前記第２の画像とで、異なる画像が上下方向にある場合は、人が立ち上がる動作として検知する、請求項２に記載の画像処理装置である。
【０００８】
請求項４の発明は、前記検知手段は、前記異なる画像内に人を検知した場合に、人が立ち上がる動作として検知する、請求項３に記載の画像処理装置である。
【０００９】
請求項５の発明は、コンピュータを、印刷指示を受け付けた後に、人が立ち上がる動作を検知する検知手段と、前記動作を検知した場合は、低消費電力モードから印刷可能な印刷モードに変更する変更手段として機能させるための画像処理プログラムである。
【発明の効果】
【００１０】
請求項１の画像処理装置によれば、消費電力を抑えつつ、人感センサーのみを用いる場合に比較して、低消費電力モードから印刷モードに変更されるまでの時間を短縮できる。
【００１１】
請求項２の画像処理装置によれば、第１の画像と第２の画像を比較して、人が立ち上がる動作を検知することができる。
【００１２】
請求項３の画像処理装置によれば、第１の画像と第２の画像とで、異なる画像が上下方向にある場合は、人が立ち上がる動作として検知することができる。
【００１３】
請求項４の画像処理装置によれば、異なる画像内に人を検知した場合に、人が立ち上がる動作として検知することができる。
【００１４】
請求項５の画像処理プログラムによれば、消費電力を抑えつつ、人感センサーのみを用いる場合に比較して、低消費電力モードから印刷モードに変更されるまでの時間を短縮できる。
【図面の簡単な説明】
【００１５】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】本実施の形態による処理例を示す説明図である。
【図５】本実施の形態による処理例を示すフローチャートである。
【図６】本実施の形態による処理例を示すフローチャートである。
【図７】本実施の形態を実現するコンピュータのハードウェア構成例を示すブロック図である。
【発明を実施するための形態】
【００１６】
まず、本実施の形態を説明する前に、その前提又は本実施の形態を利用する画像処理装置について説明する。なお、この説明は、本実施の形態の理解を容易にすることを目的とするものである。
印刷物が放置されないようにするために、複合機（スキャナ、プリンタ、複写機、ファックス等のいずれか２つ以上の機能を有している画像処理装置）等の画像処理装置が印刷指示（印刷ジョブともいわれる）を受け取った場合に、すぐに印刷を行うのではなく、画像処理装置でユーザーの認証が行われた後、そのユーザーの印刷指示による印刷を行うことが行われている。ユーザーは自分の印刷物の印刷を確かめることになり、他人がその印刷物を取り出すおそれを減少させることができる。
そして、消費電力削減のため、画像処理装置に低消費電力モード（省電力モードともいわれる）を設けて、赤外線等による人感センサーにより画像処理装置の使用ユーザーを判断した場合は、低消費電力モードから印刷モード（プリントモード、スタンバイモードともいわれる）に復帰する仕組みが搭載されている。
特許文献１に記載の技術では、画像処理装置が携帯端末と連携しなくてはならず、ユーザーは携帯端末を所持している必要がある。また、人感センサーだけでは画像処理装置のすぐ近くまでユーザーが近寄らないと印刷モードへの復帰判断ができず、ユーザーによる復帰待ち時間が発生してしまう。例えば、人感センサーの検知範囲は２メートル程度であるので、その距離に近づくまでは印刷モードに復帰することができず、印刷可能になるまでにユーザーの待ち時間が発生することになる。
一方、画像処理装置において、顔認証等のためにカメラを搭載したものがある。
【００１７】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１８】
本実施の形態である画像処理装置１００は、低消費電力モードから印刷モードに復帰するものであって、図１の例に示すように、印刷指示受付モジュール１１０、撮影モジュール１２０、検知モジュール１３０、低消費電力モード制御モジュール１４０、画像処理モジュール１５０を有している。
画像処理装置１００には、印刷（プリントともいわれる）を待機している状態である低消費電力モードと、印刷が可能な状態である印刷モード（プリントモード、スタンバイモードともいわれる）がある。低消費電力モードの消費電力は、印刷モードより少ない。印刷モードでは、画像形成部の予熱が行われており、画像形成部で印刷が実行可能又は印刷の実行が行われている。低消費電力モードは、印刷モード以外の状態をいう。また、低消費電力モードとして、複数段階のモードがあってもよい。例えば、ヒーター部の温度を下げ、かつモーターが停止している状態である低電力モードと、主電源が切れ、最も電力を節約できる状態である自動オフモード（スリープモードともいわれる）等があってもよい。
【００１９】
印刷指示受付モジュール１１０は、撮影モジュール１２０、画像処理モジュール１５０と接続されている。印刷指示受付モジュール１１０は、通信回線２９０を介して、ユーザー端末２００から印刷指示（印刷ジョブともいわれる）を受け付ける。
【００２０】
撮影モジュール１２０は、印刷指示受付モジュール１１０、検知モジュール１３０と接続されている。撮影モジュール１２０は、印刷指示受付モジュール１１０が印刷指示を受け付けた後に第１の画像を撮影し、予め定められた期間後に第２の画像を撮影する。印刷指示を受け付けた後に、その印刷指示による印刷物を受け取るために、印刷指示を出したユーザーが画像処理装置１００に近寄ることを検知するために撮影を行う。第１の画像を撮影する「印刷指示を受け付けた後」として、印刷指示を行ったユーザーが立ち上がる前の状態を撮影できればよく、例えば、（１）印刷指示を受け付けた直後であってもよいし、（２）印刷指示を受け付けて、予め定められた時間後（例えば、５秒後等）であってもよいし、（３）印刷指示を受け付けた後に、撮影モジュール１２０が撮影している画像に変化があったときであってもよい。この（３）の場合、撮影モジュール１２０は常に撮影を行っていてもよいし、印刷指示を受け付けた直後に撮影を開始してもよい。また、第１の画像を撮影してから第２の画像を撮影するまでの「予め定められた期間」として、印刷指示を行ったユーザーが立ち上がった後の状態を撮影できればよく、１回の撮影であってもよいし、複数回の撮影であってもよい。
撮影モジュール１２０は、画像処理装置１００に備え付けられている顔認証用のカメラを用いてもよい。
また、撮影モジュール１２０として、静止画を撮影するデジタルカメラのほか、動画撮影用カメラであってもよい。なお、動画撮影用カメラの場合、第１の画像を撮影してから連続して第２の画像までを撮影していることになる。
【００２１】
検知モジュール１３０は、撮影モジュール１２０、低消費電力モード制御モジュール１４０と接続されている。検知モジュール１３０は、印刷指示を受け付けた後に、人が立ち上がる動作を検知する。
また、例えば、検知モジュール１３０は、撮影モジュール１２０によって撮影された第１の画像と第２の画像を比較して、人が立ち上がる動作を検知するようにしてもよい。
また、検知モジュール１３０は、第１の画像と第２の画像とで、異なる画像が上下方向にある場合は、人が立ち上がる動作として検知するようにしてもよい。
さらに、検知モジュール１３０は、異なる画像内に人を検知した場合に、人が立ち上がる動作として検知するようにしてもよい。
【００２２】
低消費電力モード制御モジュール１４０は、検知モジュール１３０、画像処理モジュール１５０と接続されている。低消費電力モード制御モジュール１４０は、検知モジュール１３０によって動作（人が立ち上がる動作）が検知された場合は、低消費電力モードから印刷可能な印刷モードに変更する。
【００２３】
画像処理モジュール１５０は、印刷指示受付モジュール１１０、低消費電力モード制御モジュール１４０と接続されている。画像処理モジュール１５０は、低消費電力モード制御モジュール１４０によって印刷モードに変更された後、印刷指示受付モジュール１１０が受け付けた印刷指示による印刷処理を開始する。また、顔認証等によるログイン処理が必要である場合は、ログイン処理が成功する前に、印刷処理のための画像処理（印刷する印刷用画像をメモリ上に生成する処理）を開始してもよい。そして、ログイン処理が成功した場合は、そのログインしたユーザーが印刷指示受付モジュール１１０が受け付けた印刷指示を送信したユーザーであることを確認した上で、用紙上に画像を形成する処理を行うようにしてもよい。印刷指示を送信した直後に立ち上がる動作をしたユーザーは、印刷物を取り出す可能性が高いので、待ち時間を短くするためである。
【００２４】
図２は、本実施の形態を利用したシステム構成例を示す説明図である。
図２（ａ）に示す例は、画像処理装置１００、ユーザー端末２００Ａ、ユーザー端末２００Ｂ、ユーザー端末２００Ｃは、通信回線２９０を介してそれぞれ接続されている。通信回線２９０は、無線、有線、これらの組み合わせであってもよく、例えば、通信インフラとしてのインターネット、イントラネット等であってもよい。ユーザー端末２００から印刷指示が、通信回線２９０を介して画像処理装置１００に送信される。
図２（ｂ）に示す例は、ユーザー端末２００Ａ、ユーザー２１０Ａ、ユーザー端末２００Ｂ、ユーザー２１０Ｂ、画像処理装置１００の、オフィス内での位置関係を示すものである。ユーザー２１０は、座ってユーザー端末２００を使用している。ユーザー２１０は、ユーザー端末２００を用いて、画像処理装置１００に対して印刷指示を行う。一般的に、印刷指示を行ったユーザー２１０は、印刷指示を行った直後に印刷物を取り出すために、立ち上がって画像処理装置１００に近寄る。画像処理装置１００の撮影モジュール１２０は、ユーザー２１０が座っている方向を向いており、ユーザー２１０を撮影可能である。画像処理装置１００は、使用されていない場合は、低消費電力モードの状態である。画像処理装置１００は、印刷指示を受け取った場合に、ユーザー２１０の立ち上がる動作を検知したときは、低消費電力モードから印刷モードに変更する。そして、ユーザー２１０が画像処理装置１００に来たときは、印刷指示に応じた印刷を可能な状態にしておく。
【００２５】
図３は、本実施の形態による処理例を示すフローチャートである。
ステップＳ３０２では、低消費電力モード制御モジュール１４０は、低消費電力モードに設定する。例えば、予め定められた時間、画像処理装置１００が使用されていない場合等が該当する。
ステップＳ３０４では、印刷指示受付モジュール１１０が、ユーザー端末２００から印刷指示を受け付けたか否かを判断し、受け付けた場合はステップＳ３０６へ進み、それ以外の場合は受け付けるまで待機する。
ステップＳ３０６では、撮影モジュール１２０が撮影する（画像Ａ）。例えば、図４（ａ）に示すように画像Ａ：４００を撮影する。画像Ａ：４００内には、座っている状態のユーザー２１０が２人、撮影されている。
ステップＳ３０８では、撮影モジュール１２０が、予め定められた期間を待機する。
ステップＳ３１０では、撮影モジュール１２０が撮影する（画像Ｂ）。例えば、図４（ｂ）に示すように画像Ｂ：４１０を撮影する。画像Ｂ：４１０内には、２人のうち１人は立っている状態のユーザー２１０が撮影されている。
【００２６】
ステップＳ３１２では、画像Ａと画像Ｂを領域分割し、画像Ａと画像Ｂを比較する。前述の例では、画像Ａ：４００、画像Ｂ：４１０を領域分割し、両画像で異なる領域を抽出する。図４の例では、５×５＝２５分割し、座っていたユーザー２１０が立ち上がったため、そのユーザー２１０の立ち上がり画像４２０があるので、変化領域４２２（左下端の領域を（１，１）とした場合は、（２，２）の領域）、変化領域４２４（同様に（２，１）の領域）を異なる領域として抽出する。そして、その異なる領域（変化領域４２２と変化領域４２４）は、縦方向に連続している（異なる画像が上下方向にある）ので、ステップＳ３１４の判断では「Ｙｅｓ」となる。異なる領域の抽出は、両者の画像内の対応する領域を比較して、異なる画素の割合が予め定められた閾値より多い又は以上である場合に、その領域は異なると判断すればよい。
さらに、画像Ａと画像Ｂを比較して、下にある領域の画像が上方向の領域の画像に移動したことを検知するようにしてもよい。つまり、立ち上がることによって顔画像が上方向に移動することを検知するようにしてもよい。検知できた場合は、ステップＳ３１６へ進み、それ以外の場合はステップＳ３０４へ戻るようにしてもよい。
ステップＳ３１４では、異なる領域は縦方向に連続しているか否かを判断し、連続している場合はステップＳ３１６へ進み、それ以外の場合はステップＳ３０４へ戻る。
【００２７】
ステップＳ３１６では、低消費電力モード制御モジュール１４０は、低消費電力モードから印刷モードに変更する。
ステップＳ３１６の処理として、さらに、ステップＳ３０４で受け付けた印刷指示にかかる印刷処理の準備処理（例えば、印刷対象の文書から印刷用画像をメモリ上に生成する処理等）を行うようにしてもよい。
【００２８】
図５は、本実施の形態による処理例を示すフローチャートである。ステップＳ５０２からステップＳ５１４までの処理はステップＳ３０２からステップＳ３１４までの処理と同等であり、ステップＳ５１８の処理はステップＳ３１６の処理と同等である。
ステップＳ５０２では、低消費電力モード制御モジュール１４０は、低消費電力モードに設定する。
ステップＳ５０４では、印刷指示受付モジュール１１０が、ユーザー端末２００から印刷指示を受け付けたか否かを判断し、受け付けた場合はステップＳ５０６へ進み、それ以外の場合は受け付けるまで待機する。
ステップＳ５０６では、撮影モジュール１２０が撮影する（画像Ａ）。
ステップＳ５０８では、撮影モジュール１２０が、予め定められた期間を待機する。
ステップＳ５１０では、撮影モジュール１２０が撮影する（画像Ｂ）。
ステップＳ５１２では、画像Ａと画像Ｂを領域分割し、画像Ａと画像Ｂを比較する。
ステップＳ５１４では、異なる領域は縦方向に連続しているか否かを判断し、連続している場合はステップＳ５１６へ進み、それ以外の場合はステップＳ５０４へ戻る。
【００２９】
ステップＳ５１６では、異なる領域内に人（特に上体）が撮影されているか否かを判断し、撮影されている場合はステップＳ５１８へ進み、それ以外の場合はステップＳ５０４へ戻る。前述の図４（ｂ）の例では、異なる領域として抽出した変化領域４２２、変化領域４２４内に、人が撮影されているか否かを判断することになる。人の画像か否かは、既存の人体検出技術を利用すればよい。また、顔検出技術、顔画像の認識技術を利用して、異なる領域内の顔画像を認識し、その認識されたユーザーは印刷指示を行ったユーザー（ステップＳ５０４で印刷指示を行ったユーザー）であるか否かを判断し、異なった場合はステップＳ５０４へ戻り、同一人物である場合はステップＳ５１８へ進むようにしてもよい。
ステップＳ５１８では、低消費電力モードから印刷モードに変更する。
【００３０】
図６は、本実施の形態による処理例を示すフローチャートである。ステップＳ６０２からステップＳ６１６までの処理はステップＳ３０２からステップＳ３１６までの処理と同等である。
ステップＳ６０２では、低消費電力モード制御モジュール１４０は、低消費電力モードに設定する。
ステップＳ６０４では、印刷指示受付モジュール１１０が、ユーザー端末２００から印刷指示を受け付けたか否かを判断し、受け付けた場合はステップＳ６０６へ進み、それ以外の場合は受け付けるまで待機する。
ステップＳ６０６では、撮影モジュール１２０が撮影する（画像Ａ）。
ステップＳ６０８では、予め定められた期間を待機する。
ステップＳ６１０では、撮影モジュール１２０が撮影する（画像Ｂ）。
【００３１】
ステップＳ６１２では、画像Ａと画像Ｂを領域分割し、画像Ａと画像Ｂを比較する。
ステップＳ６１４では、異なる領域は縦方向に連続しているか否かを判断し、連続している場合はステップＳ６１６へ進み、それ以外の場合はステップＳ６０４へ戻る。
ステップＳ６１６では、低消費電力モードから印刷モードに変更する。
【００３２】
ステップＳ６１８では、予め定められた期間内に人感センサーは人を検知したか否かを判断し、検知した場合はステップＳ６２０へ進み、それ以外の場合はステップＳ６２２へ進む。ここでの「予め定められた期間」における始期は、立ち上がった人を検知したとき（ステップＳ６１４で「Ｙｅｓ」の判断をしたとき）であってもよいし、時間の計測が無駄になる場合もあるが、ステップＳ６０４で印刷指示を受け付けたときからであってもよいし、ステップＳ６０６で画像Ａを撮影したときからであってもよいし、ステップＳ６１０で画像Ｂを撮影したときから等であってもよい。「予め定められた期間」は、ユーザーが画像処理装置１００にたどり着くまでの時間より長い又は以上である期間であればよい。
ステップＳ６２０では、ステップＳ６０４で受け付けた印刷指示に応じた準備処理（例えば、印刷対象の文書から印刷用画像をメモリ上に生成する処理等）を行う。
ステップＳ６２２では、低消費電力モードに変更し、ステップＳ６０４へ戻る。立ち上がったユーザーを検知したが、画像処理装置１００の近くに来なかったので低消費電力モードに戻す処理を行う。いったん印刷モードになったが、画像処理装置１００が予め定められた時間使用されていないことによって低消費電力モードに戻る場合よりも、早く低消費電力モードに戻ることになる。これによって消費電力を削減することができる。
【００３３】
図７を参照して、本実施の形態の画像処理装置のハードウェア構成例について説明する。図７に示す構成は、例えばパーソナルコンピュータ（ＰＣ）等によって構成されるものであり、スキャナ等のデータ読み取り部７１７と、プリンタ等のデータ出力部７１８を備えたハードウェア構成例を示している。
【００３４】
ＣＰＵ（Ｃｅｎｔｒａｌ  Ｐｒｏｃｅｓｓｉｎｇ  Ｕｎｉｔ）７０１は、前述の実施の形態において説明した各種のモジュール、すなわち、印刷指示受付モジュール１１０、撮影モジュール１２０、検知モジュール１３０、低消費電力モード制御モジュール１４０、画像処理モジュール１５０等の各モジュールの実行シーケンスを記述したコンピュータ・プログラムにしたがった処理を実行する制御部である。
【００３５】
ＲＯＭ（Ｒｅａｄ  Ｏｎｌｙ  Ｍｅｍｏｒｙ）７０２は、ＣＰＵ７０１が使用するプログラムや演算パラメータ等を格納する。ＲＡＭ（Ｒａｎｄｏｍ  Ａｃｃｅｓｓ  Ｍｅｍｏｒｙ）７０３は、ＣＰＵ７０１の実行において使用するプログラムや、その実行において適宜変化するパラメータ等を格納する。これらはＣＰＵバス等から構成されるホストバス７０４により相互に接続されている。
【００３６】
ホストバス７０４は、ブリッジ７０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス７０６に接続されている。
【００３７】
キーボード７０８、マウス等のポインティングデバイス７０９は、操作者により操作されるデバイスである。ディスプレイ７１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス７０９とディスプレイ７１０の両方の機能を備えているタッチスクリーン等であってもよい。その場合、キーボードの機能の実現について、キーボード７０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００３８】
ＨＤＤ（Ｈａｒｄ  Ｄｉｓｋ  Ｄｒｉｖｅ）７１１は、ハードディスク（フラッシュ・メモリ等であってもよい）を内蔵し、ハードディスクを駆動し、ＣＰＵ７０１によって実行するプログラムや情報を記録又は再生させる。ハードディスクには、印刷指示、撮影した画像等が格納される。さらに、その他の各種データ、各種コンピュータ・プログラム等が格納される。
【００３９】
ドライブ７１２は、装着されている磁気ディスク、光ディスク、光磁気ディスク、又は半導体メモリ等のリムーバブル記録媒体７１３に記録されているデータ又はプログラムを読み出して、そのデータ又はプログラムを、インタフェース７０７、外部バス７０６、ブリッジ７０５、及びホストバス７０４を介して接続されているＲＡＭ７０３に供給する。なお、リムーバブル記録媒体７１３も、データ記録領域として利用可能である。
【００４０】
接続ポート７１４は、外部接続機器７１５を接続するポートであり、ＵＳＢ、ＩＥＥＥ１３９４等の接続部を持つ。接続ポート７１４は、インタフェース７０７、及び外部バス７０６、ブリッジ７０５、ホストバス７０４等を介してＣＰＵ７０１等に接続されている。通信部７１６は、通信回線に接続され、外部とのデータ通信処理を実行する。データ読み取り部７１７は、例えばスキャナであり、ドキュメントの読み取り処理を実行する。データ出力部７１８は、例えばプリンタであり、ドキュメントデータの出力処理を実行する。
【００４１】
なお、図７に示す画像処理装置のハードウェア構成は、１つの構成例を示すものであり、本実施の形態は、図７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図７に示すシステムが複数互いに通信回線によって接続されていて互いに協調動作するようにしてもよい。また、特に、複合機の他、プリンタ、複写機、ファックスなどに組み込まれていてもよい。
【００４２】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００４３】
１００…画像処理装置
１１０…印刷指示受付モジュール
１２０…撮影モジュール
１３０…検知モジュール
１４０…低消費電力モード制御モジュール
１５０…画像処理モジュール
２００…ユーザー端末
２１０…ユーザー
２９０…通信回線
【図１】
2019018471.tif 000003
【図２】
2019018471.tif 000004
【図３】
2019018471.tif 000005
【図４】
2019018471.tif 000006
【図５】
2019018471.tif 000007
【図６】
2019018471.tif 000008
【図７】
2019018471.tif 000009